【手続補正書】
【提出日】平成16年10月6日(2004.10.6)
【手続補正１】
【補正対象書類名】明細書
【補正対象項目名】発明の名称
【補正方法】変更
【補正の内容】
【発明の名称】移動端末、位置情報提供システム
【手続補正２】
【補正対象書類名】明細書
【補正対象項目名】特許請求の範囲
【補正方法】変更
【補正の内容】
【特許請求の範囲】
【請求項１】
第１の位置特定システムから第１の位置情報を取得可能な第１の位置情報取得ユニットと、
第２の位置特定システムから第２の位置情報を取得可能な第２の位置情報取得ユニットと、
前記第１に位置情報またはそれに関連する情報、および、前記第２の位置情報またはそれに関連する情報を出力可能な出力ユニットと、
位置情報または位置関連情報の要求があると、前記第１および第２の位置情報取得ユニットに対して最新の情報の取得を並列にスタートさせ、その結果に基づき、前記第１の位置情報またはそれに関連する情報、および、前記第２の位置情報またはそれに関連する情報を出力させる制御ユニットとを有する移動端末。
【請求項２】
請求項１において、前記第２の位置情報取得ユニットは、前記第１の位置情報よりも高精度の前記第２の位置情報を取得する移動端末。
【請求項３】
請求項１において、前記第１の位置情報取得ユニットは、基地局の情報を用いた測位ユニットであり、前記第２の位置情報取得ユニットは、衛星からの情報を用いた測位ユニットである移動端末。
【請求項４】
請求項２または３において、前記出力ユニットから、前記第１の位置情報の範囲を示す情報も出力される移動端末。
【請求項５】
請求項４において、前記出力ユニットは、最新の前記第２の位置情報が取得できないときは、演算された予測位置を出力する移動端末。
【請求項６】
請求項４において、前記出力ユニットは、最新の前記第２の位置情報が取得できないときは、演算された予測位置を前記第１の位置情報により評価した結果を出力する移動端末。
【請求項７】
請求項６において、前記出力ユニットは、前記予想位置が前記第１の位置情報の範囲に含まれないときは、前記予想位置を出力しない移動端末。
【請求項８】
請求項２または３において、前記出力ユニットから、最新の前記第１の位置情報の範囲を含む地図が出力され、それに重ねて最新の前記第２の位置情報が出力される移動端末。
【請求項９】
請求項２または３において、前記制御ユニットは、前記第２の位置情報により選択される位置関連情報を前記第１の位置情報の範囲でプリロードし、
前記出力ユニットには、プリロードされた位置関連情報から、前記第１の位置情報により選択された位置関連情報が出力される移動端末。
【請求項１０】
請求項２または３において、前記第２の位置情報取得ユニットは、最新の前記第１の位置情報を利用する移動端末。
【請求項１１】
請求項１ないし１０のいずれかにおいて、前記出力ユニットは、当該移動端末上に出力するユニットである移動端末。
【請求項１２】
請求項１ないし１０のいずれかにおいて、前記出力ユニットは、情報を前記移動端末から外部に出力するユニットである移動端末。
【請求項１３】
第１の位置特定システムから第１の位置情報を取得可能な第１の位置情報取得ユニットと、
第２の位置特定システムから第２の位置情報を取得可能な第２の位置情報取得ユニットと、
前記第１の位置情報および前記第２の位置情報の少なくともいずれか一方を出力可能な出力ユニットと、
位置情報または位置関連情報の要求があると、前記第１および第２の位置情報取得ユニットに対して最新の情報の取得を並列にスタートさせる制御ユニットとを有する移動端末。
【請求項１４】
第１の位置特定システムから第１の位置情報を取得可能な第１の位置情報取得手段および第２の位置特定システムから第２の位置情報を取得可能な第２の位置情報取得手段を備えた第１の端末と、
この第１の端末および他の第２の端末と交信可能なサーバとを有する位置情報提供システムであって、
前記第１の端末は、前記サーバから位置情報の要求があると、前記第１および第２の位置情報の取得をスタートする機能を備えており、
前記サーバは、前記第１の位置情報が前記第１の端末から得られると、その第１の位置情報またはそれに関連する情報を前記第２の端末に出力し、前記第２の位置情報が前記第１の端末から得られると、その第２の位置情報またはそれに関連する情報を前記第２の端末に出力する機能を備えている位置情報提供システム。
【請求項１５】
第１の端末と、この第１の端末と交信可能なサーバとを有する位置情報提供システムであって、
前記サーバは、前記第１の端末の交信に基づき第１の位置特定システムから前記第１の端末の第１の位置情報を取得可能な第１の位置情報取得手段を備えており、
前記第１の端末は、第２の位置特定システムから第２の位置情報を取得可能な第２の位置情報取得手段を備えており、
前記サーバは、さらに、交信可能な第２の端末から前記第１の端末の位置情報の要求があると、前記第１の端末に位置情報の取得を要求すると共に、前記第１の位置情報の取得をスタートし、前記第１の位置情報が得られると、その第１の位置情報またはそれに関連する情報を前記第２の端末に出力し、前記第２の位置情報が前記第１の端末から得られると、その第２に位置情報またはそれに関連する情報を前記第２に端末に出力する機能を備えている位置情報提供システム。
【手続補正３】
【補正対象書類名】明細書
【補正対象項目名】０００１
【補正方法】変更
【補正の内容】
【０００１】
本発明は、移動端末で位置情報を取得し、位置情報またはそれに関連する情報を出力する移動端末、位置情報提供システムに関するものである。
【手続補正４】
【補正対象書類名】明細書
【補正対象項目名】０００７
【補正方法】変更
【補正の内容】
【０００７】
本発明に移動端末は、位置情報または位置関連情報の要求があると、第１の位置特定システムから得られる第１の位置情報の最新の情報の取得をスタートする第１の位置情報取得ユニットと、この第１の位置情報取得ユニットと並列に、第２の位置特定システムから得られる第２の位置情報の最新の情報の取得をスタートする第２の位置情報取得ユニットと、第１の位置情報またはそれに関連する情報を出力する第１の出力ユニットと、第２の位置情報またはそれに関連する情報を出力する第２の出力ユニットとを有する。この出力ユニットでは、第１および第２の位置特定システムを、一方を他方のバックアップとして利用するのではなく、それぞれから同時に（厳密な意味での同時ではなく、同時期にあるいは並列にという意味である）位置情報を取得し、それぞれを出力する。これら第１および第２の位置特定システムは、全く同じシステムではないので、精度や位置情報を演算あるいは取得する処理に要する時間などに差がある。したがって、同時に最新の位置情報の取得を開始したとしても、実際に位置情報が得られるタイミングが異なったり、精度が異なる。このため、それぞれの位置情報あるいはそれに関連する情報を独立に出力することにより、それぞれの位置情報を独立した目的で利用できる。したがって、それぞれの位置特定システムの利用価値が高くなる。
【手続補正５】
【補正対象書類名】明細書
【補正対象項目名】０００９
【補正方法】変更
【補正の内容】
【０００９】
第１および第２の位置特定システムから得られる位置情報が同一の精度であると、その位置情報を取得するために必要な時間もほぼ同一になり、利用目的も同一となりやすく、２つあるいは３つ以上の位置情報を並列に出力する意味がほとんどなくなる。しかしながら、第１および第２の位置特定システムから得られる位置情報の精度が異なると、利用目的が異なり、さらに、一般に、精度の低い位置情報の方が短時間に取得できるので、その点でも利用目的を変えることができる。したがって、２つあるいは３つ以上の位置情報を並列に出力することによる効果が大きい。このため、第２の位置情報取得ユニットでは、第１の位置情報よりも高精度の第２の位置情報の取得をスタートすることが望ましい。そのような位置特定システムは、基地局の情報を用いた測位システムと、衛星を用いた測位システム、だとえばＧＰＳとがある。
【手続補正６】
【補正対象書類名】明細書
【補正対象項目名】００１０
【補正方法】変更
【補正の内容】
【００１０】
本発明は、ＧＰＳユニットなどの個別で測位可能な機能を備えた端末と、位置情報を提供および／または仲介する機能を備えたサーバとを備えたシステムで実行することが可能である。また、端末単体でも実行することが可能である。本発明の移動端末は、第１の位置特定システムから第１の位置情報を取得可能な第１の位置情報取得ユニットと、第２の位置特定システムから第２の位置情報を取得可能な第２の位置情報取得ユニットと、第１の位置情報またはそれに関連する情報、および、第２の位置情報またはそれに関連する情報を出力可能な出力ユニットとを備えたものである。そして、位置情報または位置関連情報の要求があると、第１および第２の位置情報取得ユニットに対して最新の情報の取得を並列にスタートさせ、その結果に基づき、第１の位置情報またはそれに関連する情報、および、第２の位置情報またはそれに関連する情報を出力させる制御ユニットにより、上記ハードウエアを制御することにより本発明を実行できる。
【手続補正７】
【補正対象書類名】明細書
【補正対象項目名】００１１
【補正方法】削除
【補正の内容】
【手続補正８】
【補正対象書類名】明細書
【補正対象項目名】００１３
【補正方法】変更
【補正の内容】
【００１３】
本発明の出力の利用の１つは、位置情報の範囲、すなわち、精度を円などで示すことである。高精度の第２の位置情報は点でも良いが、それに対して低精度の第１の位置情報を示す第１の出力ユニット、あるいは出力させる手段では、出力ユニットから第１の位置情報の範囲を示す情報も出力することが望ましい。低精度の第１の位置情報は、高精度の第２の位置情報よりも短時間で得ることができるので、先ずは、低精度の第１の位置情報が出力され、次に、その第１の位置情報の中に含まれる状態で高精度の第２の位置情報が出力されるようになる。したがって、短時間で概略の位置が把握でき、次に詳細な位置が把握できるので、位置情報の出力を待つ時間を短縮できる。それと共に、位置情報が有る程度の範囲から詳細な位置に絞り込まれるような出力になるので、あたかも位置情報を演算している過程を出力している印象をユーザに与えることができる。したがって、興味を持って位置情報の出力を見るであろうし、位置情報を利用する機会を増大するに適している。本発明において、第１の位置情報と第２に位置情報とを同時に継続して表示しておく必要はないかもしれないが、その場合は、第１の位置情報から第２の位置情報に遷移することが分かるような表示手段が採用されることが望ましい。
【手続補正９】
【補正対象書類名】明細書
【補正対象項目名】００１８
【補正方法】変更
【補正の内容】
【００１８】
また、低精度の位置情報は短時間で入手できるので、その低精度の位置情報にマッチした位置関連情報、たとえば地図を先に出力し、それに重ねて高精度の位置情報を出力することも有効である。すなわち、第１の出力ユニットでは、第１の位置情報取得ユニットで取得された第１の位置情報の範囲を含む地図を出力し、第２の出力ユニットでは、第２の位置情報を地図に重ねて出力する。移動端末の出力ユニットには、最新の第１の位置情報の範囲を含む地図が出力され、それに重ねて最新の第２の位置情報が出力される。地図上に第２の位置情報が出力されるという結果は、第２の位置情報に基づいて地図を選択して表示する方法と変わりない。しかしながら、ＧＰＳユニットで演算した詳細な位置情報が得られた後に、位置情報を表示する地図をサーバなどから取得するのに対し、本発明では、詳細な位置情報が得られる前に、表示するための地図情報を取得することができるので、短時間で地図上に現在地を表示できる。また、まず、地図が表示されてから詳細な位置が表示されるので、ユーザにとっても概略の位置を理解してから詳細な位置を与えられることとなり、現在地を把握し易すくなる。
【手続補正１０】
【補正対象書類名】明細書
【補正対象項目名】００１９
【補正方法】変更
【補正の内容】
【００１９】
また、短時間で得られる低精度の第１の位置情報によりプリロードしておき、高精度の第２の位置情報により選択して出力する時間を短縮することも可能である。すなわち、第２の位置情報により選択される位置関連情報を第１の位置情報の範囲でプリロードする手段を設け、第２の出力ユニットでは、プリロードされた位置関連情報を第１の位置情報で選択して出力することができる。そのため、移動端末の制御ユニット用のプログラムには、第２の位置情報により選択される位置関連情報を第１に位置情報の範囲でプリロードする処理を実行可能な手段をさらに設け、出力手段では、プリロードされた位置関連情報から、第１の位置情報により選択された位置関連情報を出力することが望ましい。
【手続補正１１】
【補正対象書類名】明細書
【補正対象項目名】００２１
【補正方法】変更
【補正の内容】
【００２１】
また、第１の位置情報取得ユニットで得られた最新の第１の位置情報を、最新の第２の位置情報を演算するために利用する手段を設けることも可能である。ＧＰＳを用いて現在地を演算する場合、現在地に近い位置情報を初期値として演算することにより演算時間を短縮することができる。したがって、制御ユニットに、第２の位置情報取得ユニットに、最新の第１の位置情報を供給する手段を設けておくことも有効である。
【手続補正１２】
【補正対象書類名】明細書
【補正対象項目名】００２２
【補正方法】変更
【補正の内容】
【００２２】
本発明をサーバと端末とを備えたシステムで実行する場合は、第１の端末側で第１および第２の位置特定システムから第１および第２の位置情報を取得し、サーバを介して第２の端末にそれらの位置情報を提供することができる。すなわち、本発明を実行するシステムとして、第１の位置特定システムから第１の位置情報を取得可能な第１の位置情報取得手段および第２の位置特定システムから第２の位置情報を取得可能な第２の位置情報取得手段を備えた第１の端末と、この第１の端末および他の第２に端末と交信可能なサーバとを有する位置情報提供システムを提供することが可能である。第１の端末は、サーバから位置情報の要求があると、第１および第２に位置情報の取得をスタートする機能を設け、サーバには、第１に位置情報が第１の端末から得られると、その第１の位置情報またはそれに関連する情報を第２の端末に出力し、第２の位置情報が第１の端末から得られると、その第２の位置情報またはそれに関連する情報を第２の端末に出力する機能を設けることにより、第２の端末では、第１の端末の位置を迅速に取得することができる。